(57)【要約】【課題】商用電源から負荷への電力供給を入切する際に負荷電圧を急激に変化させることがなく、多種多様な負荷が接続可能なスイッチを提供する。【解決手段】第２の電源部１０７は、負荷開閉部１０５が開成されて商用電源ＡＣから負荷Ｌへの電力供給が停止しているときに負荷開閉部１０５を制御する制御部１０３の動作電源を生成する第１の電源部１０７に電源を供給する。第３の電源部１０４は、負荷開閉部１０５が閉成されて商用電源ＡＣから負荷Ｌへの電力供給が行われているときに第１の電源部１０７に電源を供給する。第２の電源部１０１の出力電圧が第３の電源部１０４の出力電圧と同じか若しくは低い電圧に設定されている。故に商用電源ＡＣから負荷Ｌへの電力供給を入切する際に負荷電圧を急激に変化させることがなく、多種多様な負荷が接続可能になる。【選択図】        図１
2006033497.tif 000002
【特許請求の範囲】
【請求項１】
商用電源から負荷への給電路に挿入される負荷開閉部と、負荷開閉部を制御して商用電源から負荷への電源供給を開閉させる制御部と、制御部の動作電源を生成する第１の電源部と、負荷開閉部が開成されて商用電源から負荷への電力供給が停止しているときに第１の電源部に電源を供給する第２の電源部と、負荷開閉部が閉成されて商用電源から負荷への電力供給が行われているときに第１の電源部に電源を供給する第３の電源部とを備え、第２の電源部の出力電圧が第３の電源部の出力電圧と同じか若しくは低い電圧に設定されたことを特徴とするスイッチ。
【請求項２】
第２の電源部は、商用電源の電源電圧を定電圧化する第１のツェナーダイオードと、第１のツェナーダイオードのカソードと第１の電源部の入力端との間に挿入されたインピーダンス素子とを有し、第３の電源部は、商用電源の電源電圧を定電圧化し且つ第１のツェナーダイオードよりもツェナー電圧が低く設定された第２のツェナーダイオードを有し、第２の電源部の出力電圧が第３の電源部の出力電圧と同じか若しくは低い電圧となるようにインピーダンス素子のインピーダンス値が設定されたことを特徴とする請求項１記載のスイッチ。
【請求項３】
第２の電源部は、限流用の抵抗と、ベースに第１のツェナーダイオードのカソードが接続されるとともにエミッタに前記限流用抵抗の一端が接続されたトランジスタと、トランジスタのコレクタと第１の電源部の入力端との間に挿入された前記インピーダンス素子とを有することを特徴とする請求項２記載のスイッチ。
【請求項４】
手動操作される操作部、操作部が操作されたときにワイヤレス信号を送信する送信部、操作部と送信部とを収納したハウジングを具備し、少なくとも負荷開閉部の開閉指令を前記ワイヤレス信号で送信するワイヤレスリモコンと、負荷開閉部と制御部と第１乃至第３の電源部とを収納し壁面に設けられた埋込孔に後端部を埋め込む形で配設される器体、器体に収納されワイヤレスリモコンから送信されたワイヤレス信号を受信する受信部を有するスイッチ本体とを備え、制御部は、受信部で受信したワイヤレス信号の開閉指令に応じて負荷開閉部を制御し、スイッチ本体の器体前面にワイヤレスリモコンのハウジングが着脱自在に保持されることを特徴とする請求項１記載のスイッチ。
【請求項５】
スイッチ本体は、器体の前面に取り付けられて押操作される操作ハンドルと、操作ハンドルの押操作によって操作される操作スイッチとを具備し、操作スイッチが操作されたときに制御部が負荷開閉部を制御してなり、操作ハンドルの前面にワイヤレスリモコンのハウジングを着脱自在に取り付ける取付手段が操作ハンドル並びにワイヤレスリモコンに設けられたことを特徴とする請求項４記載のスイッチ。
【請求項６】
ピアノタッチ操作で操作スイッチを操作する前記操作ハンドルと、操作ハンドル前面の少なくとも一部に形成された他の部位よりも薄肉の取付部に着脱自在に取り付けられる前記ワイヤレスリモコンとを備え、前記取付手段は、取付部に取り付けられたワイヤレスリモコンと操作ハンドルとを磁力で結合することを特徴とする請求項５記載のスイッチ。
【請求項７】
制御部は、所定時間の計時が完了した時点で負荷開閉部を制御するタイマ機能を有し、ワイヤレスリモコンは、制御部のタイマ機能を利用する際に操作されるタイマ用操作部を具備し、タイマ用操作部が操作されたときにタイマ機能をはたらかせるためのタイマ指令をワイヤレス信号で送信部から送信し、受信部で受信するワイヤレス信号のタイマ指令を受け取ったとき又は操作スイッチが操作されたときから制御部が前記所定時間の計時を開始することを特徴とする請求項４記載のスイッチ。
【請求項８】
スイッチ本体は、器体前面から操作される操作スイッチを具備し、操作スイッチが操作されたときにも制御部が負荷開閉部を制御することを特徴とする請求項４記載のスイッチ。
【請求項９】
磁石と該磁石を磁力により牽引固定する固定部との一方がスイッチ本体に設けられ、磁石並びに固定部の他方がワイヤレスリモコンに設けられることを特徴とする請求項４記載のスイッチ。
【請求項１０】
第１の電源部から電力供給を受けて発光する発光素子を具備し、制御部によって発光素子の点滅が制御される表示部をスイッチ本体に備え、制御部は、第１の電源部から発光素子への電力供給を時分割することで発光素子をダイナミック点灯することを特徴とする請求項５記載のスイッチ。
【請求項１１】
器体前面における操作ハンドルと操作スイッチとの間に介装され、操作ハンドルの操作力を操作スイッチに伝えるスペーサ部を備えたことを特徴とする請求項５記載のスイッチ。
【請求項１２】
操作ハンドル及びハウジングの何れか一方に設けられた位置決め用の突起と、操作ハンドル及びハウジングの何れか他方に設けられて位置決め用の突起と凹凸嵌合する嵌合部とを備えたことを特徴とする請求項５記載のスイッチ。
【発明の詳細な説明】
【技術分野】
【０００１】
本発明は、商用電源から負荷への電力供給を入切するスイッチであって、特に自ら電源供給を受ける必要があるスイッチに関するものである。
【背景技術】
【０００２】
従来、商用電源から負荷への電力供給を入切するスイッチとして、商用電源から負荷への給電路に挿入された機械的な接点を開閉するタイプのものの他に、前記給電路にサイリスタやトライアックなどの半導体スイッチ素子を挿入し電子回路を用いて当該半導体スイッチ素子を開閉（オン・オフ）するタイプのものが提供されている。前者のスイッチは、人が操作ハンドルを操作したときに機械的に接点が開閉されるものであるために自ら電源供給を受ける必要はないが、後者のスイッチは、人が操作ハンドルを操作したときに電子回路が半導体スイッチ素子を駆動するものであるために電子回路の動作用に電源供給を受ける必要がある。そのため、前者のスイッチが２線で配線されるのに対し、後者のスイッチは４線若しくは３線で配線する必要があった。
【０００３】
これに対して本出願人は、省配線の見地から、半導体スイッチ素子を利用したスイッチでありながら２線の配線を可能としたものを既に提案している（例えば、特許文献１参照）。図３５は特許文献１に開示されている従来スイッチの回路図を示している。このスイッチは、商用の交流電源ＡＣと負荷（例えば、換気扇）Ｌとの直列回路を接続する接続端子Ｔａ，Ｔｂ間に、ＺＮＲのようなサージ吸収素子Ｚ１、フィルタ用のコンデンサＣ１をそれぞれ接続するとともに、フィルタ用のインダクタＬ１を介してトライアックＴＲＣを接続する。トライアックＴＲＣのＴ２端子とＴ１端子との間には、ダイオードブリッジからなる整流器ＤＢを介して抵抗Ｒ１及びコンデンサＣ２の並列回路が接続されている。ここで、抵抗Ｒ１及びコンデンサＣ２の並列回路はトライアックＴＲＣのゲートＧとＴ１端子との間に接続してあり、トライアックＴＲＣがターンオンすると、換気扇ＬがトライアックＴＲＣ及びインダクタＬ１を介して交流電源ＡＣに接続され、換気扇Ｌを駆動するようになっている。
【０００４】
整流器ＤＢの直流出力端子間には抵抗Ｒ２及びツェナーダイオードＺＤ１からなる第２の電源部１０１が接続されており、ツェナーダイオードＺＤ１により得られた直流電圧は、更に３端子レギュレータＩＣ１０２により例えば３Ｖに降圧安定化され、この安定化された電圧はマイクロコンピュータからなる制御部１０３等の動作電源電圧として供される。
【０００５】
また整流器ＤＢの直流出力端子間には、トライアックＴＲＣをターンオンさせるためのサイリスタＳＣＲが接続され、サイリスタＳＣＲのゲートとカソードとの間には抵抗Ｒ３及びコンデンサＣ３の並列回路が接続される。サイリスタＳＣＲのアノードには、べース・エミッタ間に抵抗Ｒ４及びコンデンサＣ４の並列回路が接続されたＰＮＰ型トランジスタＱ１のエミッタが接続されており、トランジスタＱ１のコレクタは、ツェナーダイオードＺＤ２を介してサイリスタＳＣＲのゲートに接続されるとともに、ダイオードＤ１を介して３端子レギュレータＩＣ１０２の電圧入力端子に接続される。また、トランジスタＱ１のベースは抵抗Ｒ５を介してＮＰＮ型トランジスタＱ２のコレクタに接続される。トランジスタＱ２のエミッタは回路のグランドに接続されており、トランジスタＱ２のベースは制御部１０３の制御出力端子に接続されている。ここに、トランジスタＱ１、抵抗Ｒ４，Ｒ５、ダイオードＤ１及びツェナーダイオードＺＤ２などから第３の電源部１０４が構成される。また、トライアックＴＲＣと抵抗Ｒ１及びコンデンサＣ２の並列回路とで負荷開閉部１０５が構成され、サイリスタＳＣＲと抵抗Ｒ３及びコンデンサＣ３の並列回路とで負荷開閉部１０５を駆動する駆動部１０６が構成され、さらに３端子レギュレータＩＣ１０２とコンデンサＣ５，Ｃ６とで第１の電源部１０７が構成される。
【０００６】
ここで、制御部１０３の制御出力端子の信号レベルがローレベルになるとトランジスタＱ２がオフする。トランジスタＱ２がオフするとトランジスタＱ１がオフするので、第１の電源部１０７の３端子レギュレータＩＣ１０２にはツェナーダイオードＺＤ１により定電圧化され且つ平滑コンデンサＣ０によって平滑された電源が第２の電源部１０１から供給される。この時、トライアックＴＲＣのゲートにはターンオンするのに必要なだけの電流が流れないので、トライアックＴＲＣはオフしており、換気扇Ｌへの電源供給は遮断される。
【０００７】
一方、制御部１０３の制御出力端子の信号レベルがハイレベルになると、トランジスタＱ２がオンし、トランジスタＱ２がオンするとトランジスタＱ１がオンし、第３の電源部１０４を介して第１の電源部１０７の３端子レギュレータＩＣ１０２に電源が供給され、３端子レギュレータＩＣ１０２が制御部１０３などの動作電源を生成する。このとき第３の電源部１０４におけるツェナーダイオードＺＤ２のカソードの電位がブレーク・ダウン電圧よりも高くなると、ツェナーダイオードＺＤ２に逆方向電流が流れ、ツェナーダイオードＺＤ２を介して駆動部１０６のサイリスタＳＣＲのゲートに電流が流れてサイリスタＳＣＲが導通する。サイリスタＳＣＲが導通すると、交流電源ＡＣの半サイクル毎にトライアックＴＲＣのゲートにターンオンするのに必要な電流が流れ、トライアックＴＲＣがターンオンして、換気扇Ｌに電源が供給される。
【０００８】
すなわち、図３６に示すように交流電源ＡＣの電源電圧ＶACがゼロクロス点ｔ０を過ぎて所定電圧（第３の電源部１０４を構成するツェナーダイオードＺＤ２のツェナー電圧ＶZD2）を越える時点ｔ１までは第２の電源部１０１から第１の電源部１０７に電力を供給し、電源電圧ＶACがツェナー電圧ＶZD2を越えた時点で駆動部１０６のサイリスタＳＣＲがターンオンし、さらに負荷開閉部１０５のトライアックＴＲＣがターンオンして換気扇Ｌに電力が供給されるとともに、第１の電源部１０７には第３の電源部１０４から電力が供給されることになる。ここで、負荷（換気扇Ｌ）に供給される電力の一部を制御部１０３などの動作電力に流用することに伴う負荷への影響を低減するためには、ツェナー電圧ＶZD2を低くすることでゼロクロス点ｔ０からトライアックＴＲＣがターンオンする時点ｔ１までの期間Ｔｘをできる限り短くすることが望ましい。そのために従来回路においては、第２の電源部１０１の出力電圧（ツェナーダイオードＺＤ１のツェナー電圧ＶZD1）に対して第３の電源部１０４の出力電圧（ツェナーダイオードＺＤ２のツェナー電圧ＶZD2）が低く（ＶZD1＞ＶZD2）設定されていた。
【特許文献１】特開２００１−２２７８０４号公報（段落００２１−００２６及び図７参照）
【発明の開示】
【発明が解決しようとする課題】
【０００９】
ところが特許文献１に開示されているような従来例においては、特にインバータ式蛍光灯照明器具を負荷とする場合に照明器具の機能を損ねたり、消灯操作時にフリッカ現象を引き起こすといった問題が生じる虞があった。つまり、上述のように第２の電源部１０１の出力電圧（ツェナーダイオードＺＤ１のツェナー電圧ＶZD1）に対して第３の電源部１０４の出力電圧（ツェナーダイオードＺＤ２のツェナー電圧ＶZD2）が低く設定されていると、消灯操作時に第１の電源部１０７への電源供給元が第３の電源部１０４から第２の電源部１０１へ切り換わった時点で第１の電源部１０７の入力側に接続されている平滑コンデンサＣ０に充電電流が流れる。このとき一時的に多くの電流を流すことになり、ひいては電流を流すために第２の電源部１０１のインピーダンスが低下するため、消灯時の負荷電圧に対して高い電圧が負荷に印加されることになる。このような場合でも負荷が換気扇Ｌであれば特に支障はないが、電子安定器を搭載したインバータ式蛍光灯照明器具の場合では照明器具への入力電圧により電子安定器の動作電圧が確保されると直ちに動作してランプを点灯するため、フリッカやフラッシュと呼ばれるランプの明滅現象が発生してしまう。また、インバータ式蛍光灯照明器具のなかには入力電圧を常時監視し、予め決められた短い時間内にスイッチが操作されて入力電圧が入切されたときに点灯モードを変更（例えば、全点灯から調光点灯など）する機能を有したものがあり、上記従来のスイッチでオフ・オンを短い時間で切り換えたときに照明器具への入力電圧が低下しないために上記機能の反応が鈍くなったり、あるいは機能自体がはたらかなくなる虞があった。
【００１０】
本発明は上記事情に鑑みて為されたものであり、その目的は、商用電源から負荷への電力供給を入切する際に負荷電圧を急激に変化させることがなく、多種多様な負荷が接続可能なスイッチを提供することにある。
【課題を解決するための手段】
【００１１】
請求項１の発明は、上記目的を達成するために、商用電源から負荷への給電路に挿入される負荷開閉部と、負荷開閉部を制御して商用電源から負荷への電源供給を開閉させる制御部と、制御部の動作電源を生成する第１の電源部と、負荷開閉部が開成されて商用電源から負荷への電力供給が停止しているときに第１の電源部に電源を供給する第２の電源部と、負荷開閉部が閉成されて商用電源から負荷への電力供給が行われているときに第１の電源部に電源を供給する第３の電源部とを備え、第２の電源部の出力電圧が第３の電源部の出力電圧と同じか若しくは低い電圧に設定されたことを特徴とする。
【００１２】
請求項２の発明は、請求項１の発明において、第２の電源部は、商用電源の電源電圧を定電圧化する第１のツェナーダイオードと、第１のツェナーダイオードのカソードと第１の電源部の入力端との間に挿入されたインピーダンス素子とを有し、第３の電源部は、商用電源の電源電圧を定電圧化し且つ第１のツェナーダイオードよりもツェナー電圧が低く設定された第２のツェナーダイオードを有し、第２の電源部の出力電圧が第３の電源部の出力電圧と同じか若しくは低い電圧となるようにインピーダンス素子のインピーダンス値が設定されたことを特徴とする。
【００１３】
請求項３の発明は、請求項２の発明において、第２の電源部は、限流用の抵抗と、ベースに第１のツェナーダイオードのカソードが接続されるとともにエミッタに前記限流用抵抗の一端が接続されたトランジスタと、トランジスタのコレクタと第１の電源部の入力端との間に挿入された前記インピーダンス素子とを有することを特徴とする。
【００１４】
請求項４の発明は、請求項１の発明において、手動操作される操作部、操作部が操作されたときにワイヤレス信号を送信する送信部、操作部と送信部とを収納したハウジングを具備し、少なくとも負荷開閉部の開閉指令を前記ワイヤレス信号で送信するワイヤレスリモコンと、負荷開閉部と制御部と第１乃至第３の電源部とを収納し壁面に設けられた埋込孔に後端部を埋め込む形で配設される器体、器体に収納されワイヤレスリモコンから送信されたワイヤレス信号を受信する受信部を有するスイッチ本体とを備え、制御部は、受信部で受信したワイヤレス信号の開閉指令に応じて負荷開閉部を制御し、スイッチ本体の器体前面にワイヤレスリモコンのハウジングが着脱自在に保持されることを特徴とする。
【００１５】
請求項５の発明は、請求項４の発明において、スイッチ本体は、器体の前面に取り付けられて押操作される操作ハンドルと、操作ハンドルの押操作によって操作される操作スイッチとを具備し、操作スイッチが操作されたときに制御部が負荷開閉部を制御してなり、操作ハンドルの前面にワイヤレスリモコンのハウジングを着脱自在に取り付ける取付手段が操作ハンドル並びにワイヤレスリモコンに設けられたことを特徴とする。
【００１６】
請求項６の発明は、請求項５の発明において、ピアノタッチ操作で操作スイッチを操作する前記操作ハンドルと、操作ハンドル前面の少なくとも一部に形成された他の部位よりも薄肉の取付部に着脱自在に取り付けられる前記ワイヤレスリモコンとを備え、前記取付手段は、取付部に取り付けられたワイヤレスリモコンと操作ハンドルとを磁力で結合することを特徴とする。
【００１７】
請求項７の発明は、請求項４の発明において、制御部は、所定時間の計時が完了した時点で負荷開閉部を制御するタイマ機能を有し、ワイヤレスリモコンは、制御部のタイマ機能を利用する際に操作されるタイマ用操作部を具備し、タイマ用操作部が操作されたときにタイマ機能をはたらかせるためのタイマ指令をワイヤレス信号で送信部から送信し、受信部で受信するワイヤレス信号のタイマ指令を受け取ったとき又は操作スイッチが操作されたときから制御部が前記所定時間の計時を開始することを特徴とする。
【００１８】
請求項８の発明は、請求項４の発明において、スイッチ本体は、器体前面から操作される操作スイッチを具備し、操作スイッチが操作されたときにも制御部が負荷開閉部を制御することを特徴とする。
【００１９】
請求項９の発明は、請求項４の発明において、磁石と該磁石を磁力により牽引固定する固定部との一方がスイッチ本体に設けられ、磁石並びに固定部の他方がワイヤレスリモコンに設けられることを特徴とする。
【００２０】
請求項１０の発明は、請求項５の発明において、第１の電源部から電力供給を受けて発光する発光素子を具備し、制御部によって発光素子の点滅が制御される表示部をスイッチ本体に備え、制御部は、第１の電源部から発光素子への電力供給を時分割することで発光素子をダイナミック点灯することを特徴とする。
【００２１】
請求項１１の発明は、請求項５の発明において、器体前面における操作ハンドルと操作スイッチとの間に介装され、操作ハンドルの操作力を操作スイッチに伝えるスペーサ部を備えたことを特徴とする。
【００２２】
請求項１２の発明は、請求項５の発明において、操作ハンドル及びハウジングの何れか一方に設けられた位置決め用の突起と、操作ハンドル及びハウジングの何れか他方に設けられて位置決め用の突起と凹凸嵌合する嵌合部とを備えたことを特徴とする。
【発明の効果】
【００２３】
請求項１の発明によれば、第２の電源部の出力電圧が第３の電源部の出力電圧と同じか若しくは低い電圧に設定されているから、商用電源から負荷への電力供給を入切する際に負荷電圧を急激に変化させることがなく、多種多様な負荷が接続可能になるという効果がある。
【００２４】
請求項２の発明によれば、請求項１の発明の効果に加えて、インピーダンス素子の電圧降下により第２の電源部の出力電圧を低下させることで第１のツェナーダイオードのツェナー電圧を相対的に高くすることができるから、第１のツェナーダイオードにおいて安定したツェナー電圧を得るために必要なツェナー電流量を低下させることができ、その結果、請求項１の発明に対して安価なインピーダンス素子を追加するだけで消費電力の低下が図れるという効果がある。
【００２５】
請求項３の発明によれば、請求項２の発明の効果に加えて、第１のツェナーダイオードを介してベース接地されたトランジスタによりインピーダンス変換が行われて第２の電源部の出力電圧が略一定に保たれるから、商用電源に接続する負荷の種類を拡大することができるとともに、商用電源投入時における突入電流を抑えることができるという効果がある。
【００２６】
請求項４の発明によれば、請求項１の発明の効果に加えて、ワイヤレスリモコンの操作部を操作して負荷を入切することができるから使い勝手がよくなり、さらにスイッチ本体の器体前面にワイヤレスリモコンのハウジングが着脱自在に保持されるから、ワイヤレスリモコンの保管用として壁掛け式のホルダなどを別途設ける必要がなくなってワイヤレスリモコンとスイッチ本体とのデザインを統一することができ、しかも、商用電源及び負荷と２線で接続できるから、既存のスイッチとの置き換えも容易に行えるという効果がある。
【００２７】
請求項５の発明によれば、請求項４の発明の効果に加えて、スイッチ本体の操作ハンドルを操作しても負荷を入切できるから使い勝手がさらによくなるという効果がある。
【００２８】
請求項６の発明によれば、請求項５の発明の効果に加えて、取付部が他の部位よりも薄肉に形成されているため、ワイヤレスリモコンの壁面からの突出量を低減することができるとともに、取付手段の磁力で吸着する側と吸着される側との間隔を狭めて結合力を高めることができ、取付部に対するワイヤレスリモコンの取付強度が向上するという効果がある。
【００２９】
請求項７の発明によれば、請求項４の発明の効果に加えて、例えば負荷が照明器具であれば、ワイヤレスリモコンの操作部を操作してから所定時間後に消灯させることにより、就寝した頃に自動的に消灯して照明器具の消し忘れを防止することができるという効果がある。
【００３０】
請求項８の発明によれば、請求項４の発明の効果に加えて、ワイヤレスリモコンをスイッチ本体から取り外したとき、スイッチ本体の操作スイッチを操作して負荷を入切できるとともにワイヤレスリモコンを使って遠隔から負荷の入切を操作することも可能になるという効果がある。
【００３１】
請求項９の発明によれば、請求項４の発明の効果に加えて、スイッチ本体に対するワイヤレスリモコンの着脱が容易に行えるという効果がある。
【００３２】
請求項１０の発明によれば、請求項５の発明の効果に加えて、例えば、負荷開閉部が開いて負荷への給電が停止しているときに制御部が発光素子を点灯して操作ハンドルの位置を表示すれば、負荷である照明が消灯していて暗い状況においても発光素子の光で操作ハンドルの位置が判り、あるいは、負荷開閉部が閉じて負荷への給電が行われているときに制御部が発光素子を点灯すれば、発光素子の光で負荷の動作状態を表示することができ、使い勝手の向上が図れ、しかも、第１の電源部から発光素子への電力供給を時分割することで発光素子をダイナミック点灯することにより表示部における消費電力を低減することができるという効果がある。
【００３３】
請求項１１の発明によれば、請求項５の発明の効果に加えて、スペーサ部によって器体内における操作スイッチの配置の自由度が高くなるという効果がある。
【００３４】
請求項１２の発明によれば、請求項５の発明の効果に加えて、突起と嵌合部との嵌合により操作ハンドルに対してワイヤレスリモコンを正しい位置に簡単に取り付けることができるとともに、操作ハンドルを操作したときにワイヤレスリモコンの位置がずれるのを防ぐことができるという効果がある。
【発明を実施するための最良の形態】
【００３５】
以下、負荷をインバータ式蛍光灯照明器具とした場合について図面を参照して詳細に説明する。但し、負荷の種類はインバータ式蛍光灯照明器具に限定されるものではなく、その他の種類の負荷であっても本発明の技術思想が適用可能であることはいうまでもない。
【００３６】
（実施形態１）
図１は本実施形態のスイッチの回路図を示している。但し、基本的な構成並びに動作は図３５に示した従来例と共通であるから、共通の構成要素には同一の符号を付して説明を省略する。
【００３７】
本実施形態は、従来例と逆に、第２の電源部１０１の出力電圧（ツェナーダイオードＺＤ１のツェナー電圧ＶZD1）が第３の電源部１０４の出力電圧（ツェナーダイオードＺＤ２のツェナー電圧ＶZD2）と同じか若しくは低い電圧（ＶZD1≦ＶZD2）に設定されている点に特徴がある。なお、図１では図示を省略しているが、制御部１０３にはタクトスイッチなどからなる操作スイッチが接続されており、その操作スイッチが操作される毎に制御部１０３が負荷開閉部１０５を制御して商用電源ＡＣから負荷Ｌへの電力供給を入切する。
【００３８】
而して、従来例のように第２の電源部１０１の出力電圧が第３の電源部１０４の出力電圧より高く設定されていると、消灯操作時に第１の電源部１０７への電源供給元が第３の電源部１０４から第２の電源部１０１へ切り換わった時点で第１の電源部１０７の入力側に接続されている平滑コンデンサＣ０に充電電流が流れてしまうが、本実施形態では第２の電源部１０１の出力電圧が第３の電源部１０４の出力電圧と同じか若しくは低く設定されているため、消灯操作時に第１の電源部１０７への電源供給元が第３の電源部１０４から第２の電源部１０１へ切り換わった時点で平滑コンデンサＣ０に充電電流が流れず、第２の電源部１０１のインピーダンスが低下することもないから、負荷Ｌに対して不要な電圧が印加されるのを防ぐことができる。従って、負荷Ｌが電子安定器を搭載したインバータ式蛍光灯照明器具の場合、従来例で問題となるフリッカやフラッシュと呼ばれるランプの明滅現象の発生が防止でき、また、インバータ式蛍光灯照明器具が入力電圧を常時監視し、予め決められた短い時間内にスイッチが操作されて入力電圧が入切されたときに点灯モードを変更（例えば、全点灯から調光点灯など）する機能を有したものであれば、オフ・オンを短い時間で切り換えたときにも照明器具への入力電圧が低下しなくなることが避けられるから、上記機能の反応が鈍くなったり、あるいは機能自体がはたらかなくなるのを防ぐことができる。
【００３９】
（実施形態２）
図２は本実施形態のスイッチの回路図を示している。但し、基本的な構成並びに動作は従来例及び実施形態１と共通であるから、共通の構成要素には同一の符号を付して説明を省略する。
【００４０】
本実施形態は、ツェナーダイオードＺＤ１のカソードと第１の電源部１０７の入力端（平滑コンデンサＣ０の高電位側端子）との間に挿入されたインピーダンス素子Ｚ２を第２の電源部１０１に有し、第２の電源部１０１のツェナーダイオードＺＤ１よりもツェナー電圧ＶZD2が低く設定されたツェナーダイオードＺＤ２を第３の電源部１０４に有するとともに、第２の電源部１０１の出力電圧（ツェナーダイオードＺＤ１のツェナー電圧ＶZD1とインピーダンス素子Ｚ２の電圧降下との差分）が第３の電源部１０４の出力電圧と同じか若しくは低い電圧となるようにインピーダンス素子Ｚ２のインピーダンス値が設定されている点に特徴がある。但し、インピーダンス素子Ｚ２は抵抗やダイオードのように通電によって電圧降下が生じるものであればよい。
【００４１】
而して、インピーダンス素子Ｚ２の電圧降下により第２の電源部１０１の出力電圧を低下させることでツェナーダイオードＺＤ１のツェナー電圧ＶZD1を相対的に高くすることができるから、ツェナーダイオードＺＤ１において安定したツェナー電圧ＶZD1を得るために必要なツェナー電流量を低下させることができる。すなわち、ツェナーダイオードにおいては、図３に示すようにトンネル効果によるブレークダウンが支配的となる低い電圧領域のものは安定したツェナー電圧を得るためにツェナー電流を比較的多く流さなくてはならないのに対し、アバランシェ効果が支配的となる高い電圧領域のものは微少なツェナー電流でも安定したツェナー電圧が得られる。従って、第２の電源部１０１を構成するツェナーダイオードＺＤ１にある程度ツェナー電圧が高いものを用いることにより、第２の電源部１０１における消費電力が低減できることになる。例えば、ツェナー電圧の定格が５．６Ｖ程度のものを用いればツェナー電流が１０μＡ程度で安定した電圧が確保できる。
【００４２】
このように本実施形態では、実施形態１に対して安価なインピーダンス素子Ｚ２を追加するだけで実施形態１に比較して第２の電源部１０１の消費電力の低下が図れるという利点がある。
【００４３】
（実施形態３）
図４は本実施形態のスイッチの回路図を示している。但し、第２の電源部１０１以外の構成並びに動作は実施形態２と共通であるから、共通の構成要素には同一の符号を付して説明を省略する。
【００４４】
本実施形態における第２の電源部１０１は、限流用の抵抗Ｒ２と、ベースにツェナーダイオードＺＤ１のカソードが接続されるとともにエミッタに限流用抵抗Ｒ２の一端が接続されたトランジスタＱ３と、トランジスタＱ３のコレクタと第１の電源部１０７の入力端（平滑コンデンサＣ０の高電位側端子）との間に挿入されたインピーダンス素子Ｚ２とを有する点に特徴がある。なお、トランジスタＱ３のベース・コレクタ間にはバイアス抵抗Ｒ６が接続されている。
【００４５】
而して、ツェナーダイオードＺＤ１を介してベース接地されたトランジスタＱ３によりインピーダンス変換が行われて第２の電源部１０１の出力電圧が略一定に保たれるから、商用電源ＡＣに接続する負荷Ｌの制限が緩和され、その種類を拡大することができるという利点がある。なお、図６（ａ）に示すようにトランジスタＱ３のエミッタと平滑コンデンサＣ０との間にインピーダンス素子Ｚ２を挿入しない場合、同図（ｂ）に示すように商用電源ＡＣの投入時に大きな突入電流が流れてしまうが、同図（ｃ）に示すようにインピーダンス素子Ｚ２を挿入した場合には、同図（ｄ）に示すようにトランジスタＱ３によるインピーダンス変換とインピーダンス素子Ｚ２の限流作用とによって商用電源ＡＣの投入時における突入電流を大幅に抑えることができるという利点がある。
【００４６】
（実施形態４）
図６〜図１９を参照して本実施形態を説明する。本実施形態は、ボディ２及びカバー３からなるスイッチ本体１と、スイッチ本体１に枢着されるピアノハンドル４と、ピアノハンドル４の片側に取着される受光カバー５と、ピアノハンドル４に着脱自在に取り付けられるワイヤレスリモコン６と、スイッチ本体１の内部に収納される２枚のプリント基板７とを主要な構成として有する。
【００４７】
先ず本実施形態の回路構成を図１７及び図１８を参照して説明する。なお図１７はスイッチ本体１側の回路構成を示す回路図であり、図１８はワイヤレスリモコン６側の回路構成を示す回路図である。
【００４８】
スイッチ本体１は、図１７に示すようにタクトスイッチからなる操作スイッチＳＷ１と、フォトダイオードなどの受光素子を具備した受光モジュール７２ａを有し、ワイヤレスリモコン６から赤外線のような光信号（ワイヤレス信号）で送信された切替信号を受信する受信部１０８と、第１の電源部１０７から電力供給を受けて発光する発光ダイオードＬＤ１を具備し、負荷Ｌの停止時に制御部１０３により発光ダイオードＬＤ１を点灯して位置表示を行う表示部１０９と、後述するチャンネル切替用の切替スイッチＳＷ２とを備えているが、これ以外の構成並びに動作は実施形態３と共通であるから説明は省略する。
【００４９】
一方、ワイヤレスリモコン６内に収納される回路は、図１８に示すようにマイクロコンピュータからなり操作スイッチＳＷ３の操作入力に応じて負荷Ｌを入切するための制御信号を発生する制御回路部８０と、赤外線のような光信号からなるワイヤレス信号で切替信号を送信する発光ダイオードＬＤ２と、制御回路部８０の制御信号に応じて発光ダイオードＬＤ２を駆動することによって切替信号を送信する送信回路部８１と、釦電池のような電池Ｂを電源として制御回路部８０及び送信回路部８１に電源を供給する電源回路部８２とを備える。尚、図中のＳＷ４はチャンネル切替のための切替スイッチである。
【００５０】
ワイヤレスリモコン６では、操作スイッチＳＷ３が押操作されると操作スイッチＳＷ３の操作信号が制御回路部８０に入力され、この操作信号に応じて制御回路部８０が制御信号を発生する。そして、送信回路部８１が制御回路部８０の制御信号に応じて発光ダイオードＬＤ２を駆動し、赤外線のような光信号からなるワイヤレス信号で負荷Ｌの切替信号を送信する。一方、スイッチ本体１の内部回路では、制御部１０３が受信部１０８からの信号入力及び操作スイッチＳＷ１からの操作入力を監視しており、受信部１０８の受信した切替信号が入力されるか、操作スイッチＳＷ１が押操作されて操作信号が入力されると、これらの切替信号及び操作信号に応じてトランジスタＱ２のオン／オフを反転させる制御信号を発生し、この制御信号に基づいて駆動部１０６が負荷開閉部１０５を駆動し、商用電源ＡＣから負荷Ｌへの電力供給をオン／オフする。また制御部１０３は、負荷Ｌへの電力供給をオフする間、発光ダイオードＬＤ１に電圧を印加して点灯させることにより位置表示を行う。但し、負荷開閉部１０５が閉じて商用電源ＡＣから負荷Ｌへの電力供給をオンする間、発光ダイオードＬＤ１を点灯して負荷Ｌの動作状態を表示することも可能である。このとき制御部１０３は、図１９（ｂ）に示すように発光ダイオードＬＤ１への電圧印加を時分割することでダイナミック点灯させており、同図（ａ）に示すように電圧を常時印加する場合に比較して消費電力を低減させている。尚、ワイヤレスリモコン６からワイヤレス信号で送信される切替信号には、切替スイッチＳＷ４によって設定されたチャンネルのデータが含まれており、制御部１０３では、切替スイッチＳＷ４によって設定されたチャンネルと、切替スイッチＳＷ２で設定された自己のチャンネルとが一致する場合のみ、ワイヤレスリモコン６からの切替信号を受け付けるようにしている。
【００５１】
ここで、本実施形態のスイッチ本体１では制御部１０３や受信部１０８の動作電源を作成する第１の電源部１０７の他に、負荷Ｌの入切に応じて第１の電源部１０７の動作電源を作成する第２及び第３の電源部１０１，１０４を備えているが、例えば、一種類の電源部のみで制御部１０３や受信部１０８の動作電源を作成する回路方式も実現可能である。しかしながら、一種類の電源部のみで動作電源を作成する回路方式においては、制御部１０３や受信部１０８の最大消費電力から余裕を持たせた電圧を発生させる必要があるため、ゼロクロス点から負荷開閉部１０５のトライアックＴＲＣがターンオンする時点までの期間Ｔｘが長くなり、負荷Ｌに供給される電力の一部を制御部１０３や受信部１０８の動作電力に流用することに伴う負荷Ｌへの影響が大きくなってしまう。特に本実施形態のように第１の電源部１０７の負荷として制御部１０３以外に受信部１０８を有するものにおいては特に負荷Ｌへの影響が大きい。これに対して本実施形態の回路構成では、第１の電源部１０７から電力供給を受ける制御部１０３や受信部１０８の電力消費が少ないほど上記期間Ｔｘが短くなるため、上述のように一種類の電源部のみで制御部１０３や受信部１０８の動作電源を作成する場合に比較して、制御部１０３や受信部１０８の消費電力を低減することで負荷Ｌへの電力供給が遮断される期間Ｔｘを短くすることが可能となり、上述の別の回路方式を採用する場合に比較して負荷Ｌへの悪影響を減らすことができるという利点がある。しかも実施形態１と同様に本実施形態においても、第２の電源部１０１の出力電圧が第３の電源部１０４の出力電圧と同じか若しくは低く設定されているため、負荷Ｌが電子安定器を搭載したインバータ式蛍光灯照明器具の場合、従来例で問題となるフリッカやフラッシュと呼ばれるランプの明滅現象の発生が防止でき、また、インバータ式蛍光灯照明器具が点灯モードを変更する機能を有したものであれば、オフ・オンを短い時間で切り換えたときにも照明器具への入力電圧が低下しなくなることが避けられるから、上記機能の反応が鈍くなったり、あるいは機能自体がはたらかなくなるのを防ぐことができる。
【００５２】
次に図６〜図１６を参照しながら本実施形態の構造について説明する。尚、以下の説明では特に断りがない限り、図６に示す向きにおいて上下左右の方向を規定し、図９中の左側を前側、同図中の右側を後側とする。
【００５３】
ボディ２は合成樹脂により前面が開口した箱状に形成され、上下の両側面には各一対の係止突起１０が突設されている。ボディ２の内部は、底部から立設された隔壁２ｂによって２つの収納室に仕切られており、上側の収納室には一方のプリント基板７に実装されたスイッチ素子Ｑ１などの回路部品が収納され、下側の収納室にはプリント基板７に実装された図示しない端子板及び鎖錠ばねからなる所謂速結端子構造の接続端子Ｔａ，Ｔｂが収納されている。ボディ２の背面には、下側の収納室に連通する電線挿通孔（図示せず）が開口しており、この電線挿通孔を通して被覆が剥かれた電線を挿入することによって、電線を接続端子Ｔａ，Ｔｂに容易に接続できるようになっている。また上側の収納室には負荷開閉部１０５のトライアックＴＲＣに熱結合された放熱板（図示せず）が収納されており、ボディ２の上壁及び左側壁には放熱性を高めるための複数の透孔２ａが貫設されている。
【００５４】
一方、カバー３は合成樹脂により背面が開口した箱状に形成され、上下の両側面の後縁からは係止孔１２を有する係止脚片１１が２個ずつ突設されている。而して、ボディ２とカバー３とは、カバー３に突設された係止脚片１１の係止孔１２にボディ２の係止突起１０を係止させることにより結合されており、結合時には係止脚片１１の弾性と係止突起１０の前端の傾斜面１０ａとを利用して簡単に係止できるようになっている。
【００５５】
またスイッチ本体１の表面側の部材であるカバー３には、既製の埋込式の配線器具を埋設する場合に用いる取付枠６０に着脱自在に取付可能とするために、左側の端面の上下に各一対の取付爪１３が突設され、右側の端面の上下方向における中央部に一対の取付爪１３が突設されている。なお右側の端面の後縁には、一対の取付爪１３が表面に突設された撓み片１５の上下両側にスリット１４，１４を形成してあり、撓み片１５が内側へ弾性的に撓むようにしてある。従って、既製の配線器具用の取付枠６０に取付爪１３，１３を係止させてスイッチ本体１を着脱自在に取り付けることができ、既製の埋込型の配線器具と同様にして壁面などの造営面に埋設できるようにしてある。
【００５６】
図６に示すように取付枠６０は縦長の窓孔６０ａを有し、窓孔６０ａの左右両側の側片６１，６１には、スイッチ本体１の取付爪１３がそれぞれ係止される２個１組の器具取付孔６２が等間隔に３組ずつ設けてあり、窓孔６０ａ内で配線器具の取付位置を３箇所選択できるようになっている。そして、この取付枠６０にスイッチ本体１を取り付ける際には、カバー３の左側の端面に形成された取付爪１３を、取付枠６０の左側の側片６１の上下に形成された器具取付孔６２に係止させた後、スイッチ本体１の右側部を取付枠６０側に押し込むと、カバー３の右側の端面に形成された取付爪１３が右側の側片６１で押されて撓み片１５が内側に撓み、撓み片１５の取付爪１３が右側の側片６１に形成された器具取付孔６２に係止することで、スイッチ本体１が取付枠６０に取着されるようになっている。なおスイッチ本体１を取付枠６０から取り外す際には、撓み片１５を内側に押して、撓み片１５の取付爪１３と、右側の側片６１に設けた器具取付孔６２との係止状態を解除することによって、スイッチ本体１を取付枠６０から容易に取り外すことができるようになっている。尚、取付枠６０の上下の側片には、それぞれ、埋込ボックスに取り付けるためのボックスねじ用の長孔６３と、壁を構成する石膏ボードなどに取り付けるための従来周知のはさみ金具（図示せず）が取着される取着孔６４と、プレート枠（図示せず）を固定するためのプレートねじ用のねじ孔６５とが設けられている。
【００５７】
またカバー３の前面には、上下方向における中央部の左側部に、横向となった軸部１６，１６が所定間隔を開けて２つ突設してあり、これらの軸部１６，１６は上部が横向きの略円柱形状をしている。カバー３前面の軸部１６，１６が形成された側と反対側（右側）の部位には、後述するピアノハンドル４の係止脚片２７，２７がそれぞれ挿入される係止孔１７，１７が貫設されている。またカバー３の前面には上下両側部に横長の透孔がそれぞれ形成され、これらの透孔内に一端部がカバー３に片持ち支持された矩形板状の弾性ばね片１８，１８がカバー３と連続一体に形成されており、各弾性ばね片１８，１８の自由端側は前方に突出して、ピアノハンドル４裏面の右側部の上下にそれぞれ当接し、ピアノハンドル４を前方に押圧している。
【００５８】
またカバー３内には操作スイッチＳＷ１、切替スイッチＳＷ２、発光ダイオードＬＤ１受光モジュール７２ａなどの部品が実装されたもう１枚のプリント基板（図示せず）が納装されており、このプリント基板とボディ２内に収納されるプリント基板７との間はフレキシブルフラットケーブルなどの配線を介して電気的に接続されている。そしてカバー３の前面には、係止孔１７，１７の中間部の左側に操作スイッチＳＷ１の押釦５１を露出させる丸孔１９が、この丸孔１９の下方には切替スイッチＳＷ２を構成するスライドスイッチの摘み５２を露出させる窓孔２０がそれぞれ貫設され、さらに軸部１６，１６の中間部の右側に発光ダイオードＬＤ１を露出させる丸孔２１が、この丸孔２１の下方には受光モジュール７２ａの受光面を露出させる丸孔２２がそれぞれ貫設されている。
【００５９】
一方ピアノハンドル４は合成樹脂により前面視の形状が略矩形状に形成されており、左側部の裏面には軸部１６，１６に対向する部位に、後側に開口した穴２３とこの穴２３内に取着される金属製の軸受け用ばね２４とで構成される枢支部が設けられており、穴２３内に挿入された軸部１６に軸受け用ばね体２４が弾接することによって、軸部１６に対し回動自在に軸支されている。またピアノハンドル４の裏面には、押釦５１に対向する部位に押釦５１を押圧する押圧突起３９が突設されており、この押圧突起３９の周りにはカバー３の丸孔１９の周りに設けたボス１９ａを逃がす凹部３９ａが形成されている。また更にピアノハンドル４の裏面における枢支部と反対側の端部（右端部）には、図９に示すように上下方向における中央部から両側部に行くにつれて、カバー３の前面から遠ざかる向きに傾斜するテーパ面４ａ，４ａが形成されている。
【００６０】
またピアノハンドル４前面の左端部からは上下方向に沿って延びる細幅の突台２５が前方に向かって突設されており、前面の突台２５以外の部位には突台２５よりも薄肉であってワイヤレスリモコン６が着脱自在に取り付けられる取付部２６を形成してある。また、ピアノハンドル４の右側部の裏面には、カバー３の係止孔１７，１７に対向する部位に、係止孔１７と係止する爪２７ａが先端に突設された一対の係止脚片２７がそれぞれ突設されており、これらの係止脚片２７，２７の近傍に希土類磁石（例えばネオジウム磁石やコバルト磁石など）からなる短冊状の永久磁石８が貼着されている。
【００６１】
受光カバー５は、赤外光に対して透光性を有するとともに可視光に対して遮光性を有するような合成樹脂により帯板状に形成されており、受光カバー５の背面に突設されたかしめ突起（図示せず）をピアノハンドル４に貫設された孔２９に通し、ピアノハンドル４の裏面側に突出した先端部を潰すことによってピアノハンドル４にかしめ固定される。ところでピアノハンドル４には、スイッチ本体１の前面に露設された発光ダイオードＬＤ１及び受光モジュール７２ａにそれぞれ対向する部位にピアノハンドル４を貫通する貫通孔３０，３１が貫設されており、貫通孔３０には発光ダイオードＬＤ１の発光を外部に導くためのほたる表示片９が取り付けられる。ほたる表示片９は、貫通孔３０内に挿入される矩形板状の導光部３４と、導光部３４の上下両側面からそれぞれ上下に突出するかしめ片３５，３５とを有し、導光部３４を貫通孔３０内に挿入した状態で、ピアノハンドル４の裏面に突設したかしめ突起３６をかしめ片３５の孔に通し、その先端を潰すことによってピアノハンドル４に取り付けられる。この時、ほたる表示片９の導光部３４の先端は貫通孔３０から前方に突出し、受光カバー５に設けた切欠溝３３を通して前面に露出している。また受光カバー５には、貫通孔３１に臨む部位にワイヤレスリモコン６から送信される光信号を受光モジュール７２ａに集光するためのレンズ部３２が形成されている。
【００６２】
而して、受光カバー５、ほたる表示片９、及び永久磁石８が取着されたピアノハンドル４の枢支部をカバー３の軸部１６，１６に軸支させるとともに、係止脚片２７，２７をカバー３の係止孔１７，１７に挿入すると、ピアノハンドル４がカバー３に対して回動自在に軸支され、枢支部を構成する軸受け用ばね２４などによって操作方向と反対側に付勢されて、復帰位置まで移動する。この時、係止脚片２７の爪２７ａが係止孔１７の孔縁と係止することで、ピアノハンドル４の抜け止めが為されている。また発光ダイオードＬＤ１にほたる表示片９の導光部３４が対向するとともに、受光モジュール７２ａの受光面に受光カバー５のレンズ部３２が対向しており、発光ダイオードＬＤ１の発する光がほたる表示片９を通して外部に導かれ、ワイヤレスリモコン６から送信されたワイヤレス信号がレンズ部３２により受光モジュール７２ａに集光されるのである。この状態からピアノハンドル４の操作側を押操作すると、ピアノハンドル４が軸部１６を中心に回転し、ピアノハンドル４裏面の押圧突起３９によって操作スイッチＳＷ１の押釦５１が押操作される。なおピアノハンドル４の凹部３９ａがボス１９ａと当接することによって、それ以上のピアノハンドル４の押し込みができないようになっている。その後ピアノハンドル４の操作側を押す力をなくすと、操作スイッチＳＷ１の押釦５１に発生する復帰力と軸受け用ばね２４及び弾性ばね片１８に発生する復帰力とを受けてピアノハンドル４が復帰位置まで移動する。なお、ピアノハンドル４前面の右端部には、操作位置を表示するための突起３７が突設されており、突起３７に触れることで暗闇でも操作位置が容易に判別でき、また視覚障害者や高齢者なども操作位置を容易に判別できるようにしている。
【００６３】
次にワイヤレスリモコン６の構造について説明する。ワイヤレスリモコン６は、ハウジング４０と、プリント基板４１と、メンブレンシート４２と、電池ホルダー４３と、固定部たる鉄片４４（磁性体）と、摘み４５とを主たる構成として有する。
【００６４】
ハウジング４０は合成樹脂により背面及び下面が開口した扁平な直方体状に形成され、ハウジング４０の前面は幅方向における中間部が両側部よりも前方に突出するような曲面に形成され、全体として蒲鉾型に形成されている。ハウジング４０の下部には、左右の側壁の後縁間を連結する連結片４６が一体に形成されており、ハウジング４０の上側壁と左右の側壁と連結片４６とで囲まれる収納凹部４０ａにプリント基板４１と鉄片４４とが収納される。また、ハウジング４０の前壁と左右の側壁と連結片４６とで囲まれる空間は電池ホルダー４３を挿入する挿入口となり、この挿入口から挿入された電池ホルダー４３の後部を収納する収納凹部４０ｂが連結片４６の下側に形成されている。また、ハウジング４０の長手方向に沿う両側壁の内、ピアノハンドル４に装着した際に突台２５の端面と対向する側壁の上下両側部には、突台２５の端面の上下両端部に形成した位置決めリブ３８，３８と係止する係止凹部５７，５７が上下両端部に形成されており、突台２５と反対側の側壁にはワイヤレスリモコン６を外す際に指で引っ掛けるための突条５９が上下方向に沿って突設されている。またハウジング４０の側壁の後縁には、ピアノハンドル４の突起３７と対向する部位にこの突起３７と凹凸嵌合する嵌合溝４０ｃが形成され、さらにハウジング４０の前面における嵌合溝４０ｃの裏側部付近には操作位置を表示するための突起５８が突設されている。
【００６５】
一方電池ホルダー４３は合成樹脂成型品からなり、円板の上部を切り欠いたような形状に形成されて釦電池よりなる電池Ｂの底面に当接する底壁４７ａ、及び、底壁４７ａの周縁部から立設された前面視略Ｃ字状の側壁４７ｂからなる電池保持部４７と、電池保持部４７の下側部に連続一体に突設された略直方体状の基台部４８と、側壁４７ｂの周面に撓み片４９ａを介して連続一体に連結された嵌合部４９とを有する。基台部４８の表面にはホルダー外し時に手の爪を引っ掛けるための引掛凹部４８ａが形成され、さらに基台部４８における嵌合部４９と反対側の端部には、ハウジング４０の係止凹部５５と係止する爪４８ｃが先端部に形成された弾性係止片４８ｂが突設されている。また嵌合部４９には手の爪を引っ掛けるための外し溝４９ｂが後面及び下面に形成され、ハウジング４０の側壁と対向する面には側壁に設けた係止凹部５６と係止する係止爪４９ｃが突設されている。
【００６６】
プリント基板４１は矩形板状であって、ピアノハンドル４に装着した際に永久磁石８と対向する部位に鉄片４４を収めるための矩形状の切欠部４１ａが形成されている。またプリント基板４１の部品実装面には上述した制御回路部８０、送信回路部８１、および電源回路部８２を構成する回路部品や電池ホルダー４３に保持された釦電池の正極及び負極にそれぞれ接触する接触ばね片（図示せず）が実装されており、スライドスイッチよりなる切替スイッチＳＷ４に被せた摘み４５とプリント基板４１と鉄片４４とをハウジング４０の収納凹部４０ａに収納すると、プリント基板４１に実装された発光ダイオードＬＤ２がハウジング４０の上側壁の孔５３に臨むように配置され、さらにハウジング４０の側壁に設けた孔５４から摘み４５の操作部４５ａが露出するようになっている。
【００６７】
このプリント基板４１の表面には合成樹脂により形成された可撓性を有する板状のメンブレンシート４２が貼り付けられ、このメンブレンシート４２によってハウジング４０の開口が閉塞される。メンブレンシート４２に側縁には嵌合溝４０ｃに対向する部位に凹溝４２ｃが形成されている。またメンブレンシート４２の表面の上側部にはドーム状に突出する操作凸部４２ａが形成されており、この操作凸部４２ａの裏側には導電性インクを円形領域に塗布することによって導電部４２ｂが形成されている。一方、プリント基板４１には、導電部４２ｂに対向する部位に、略一定の間隔をおいて互いに噛合するように配置された一対の櫛歯状の接点部５０ａ，５０ｂがカーボンペーストを印刷することによって形成されている。ここに、接点部５０ａ，５０ｂと導電部４２ｂとで上述の操作スイッチＳＷ３が構成され、タクトスイッチなどの既存のスイッチを用いる場合に比べてワイヤレスリモコン６を薄型化でき、またコストダウンが図れる。而して、メンブレンシート４２に設けたリモコン操作部としての操作凸部４２ａを押操作すると、メンブレンシート４２が撓んで導電部４２ｂが接点部５０ａ，５０ｂに接触し、接点部５０ａ，５０ｂ間が導電部４２ｂを介して導通することにより、制御回路部８０に操作入力が与えられ、送信回路部８１が制御回路部８０の制御信号に応じて発光ダイオードＬＤ２を駆動し、ワイヤレス信号で切替指令を送信するようになっている。
【００６８】
以上のようなワイヤレスリモコン６を組み立てるに当たっては、ハウジング４０の収納凹部４０ａ内に、切替スイッチＳＷ４に被せた摘み４５と、プリント基板４１と、鉄片４４とを挿入した後、ハウジング４０の開口側からメンブレンシート４２を貼り付ければ良い。ここに、ハウジング４０とメンブレンシート４２とでリモコン本体が構成される。そして、釦電池を収めた電池ホルダー４３を正しい向きに向けて挿入口から挿入すると、弾性係止片４８ｂの爪４８ｃ及び嵌合部４９の係止爪４９ｃがそれぞれハウジング４０の係止凹部５５，５６に係止することによって、電池ホルダー４３がハウジング４０に取り付けられる。一方、電池ホルダー４３を取り外す際には、電池ホルダー４３の嵌合部４９に設けた外し溝４９ｂに手の爪を引っ掛けて、撓み片４９ａを撓ませて、係止爪４９ｃと係止凹部５６との係止状態を解除した後、引掛凹部４８ａに手の爪を引っ掛けて、電池ホルダー４３を引き出せば良い。
【００６９】
このワイヤレスリモコン６はピアノハンドル４の取付部２６に取り付けられる。すなわちワイヤレスリモコン６とピアノハンドル４の向きを合わせて、ワイヤレスリモコン６をピアノハンドル４の取付部２６に前面側から取り付けると、ワイヤレスリモコン６のハウジング４０内に納装された鉄片４４がピアノハンドル４に取着した永久磁石８によって吸着され、ワイヤレスリモコン６がピアノハンドル４に取り付けられる。この時、ワイヤレスリモコン６のハウジング４０に設けた係止凹部５７とピアノハンドル４の位置決めリブ３８が係止するとともに、ハウジング４０の嵌合溝４０ｃにピアノハンドル４の突起３７が嵌合することで、ワイヤレスリモコン６がピアノハンドル４に対して位置決めされ、ワイヤレスリモコン６の位置ずれが起こりにくくなっている。そして、この状態でワイヤレスリモコン６の前面の操作側（突起５８側）を押すと、ワイヤレスリモコン６の押力をピアノハンドル４が受けて、軸部１６を中心に回転し、ピアノハンドル４裏面の押圧突起３９によって操作スイッチＳＷ１の押釦５１が押操作される。その後ワイヤレスリモコン６の操作側を押す力をなくすと、操作スイッチＳＷ１の押釦５１に発生する復帰力と軸受け用ばね２４及び弾性ばね片１８に発生する復帰力とを受けてワイヤレスリモコン６（ピアノハンドル４）が復帰位置まで移動する。
【００７０】
一方、ワイヤレスリモコン６をピアノハンドル４から外してリモコン操作を行う場合は、ワイヤレスリモコン６のハウジング４０に設けた突条５９に手を掛けて、ハウジング４０を前側に引っ張ると、ハウジング４０を容易に取り外すことができ、上述のようにしてリモコン操作が行えるのである。
【００７１】
ここで、本実施形態ではピアノハンドル４の前面に薄肉の取付部２６を設けて、この取付部２６にワイヤレスリモコン６を装着しているので、ワイヤレスリモコン６の壁面からの突出量をできるだけ小さくでき、また取付部２６を薄肉（約０．５ｍｍ）に形成することで、ピアノハンドル４に取り付けた永久磁石８とワイヤレスリモコン６の内部に収納した固定部たる鉄片４４との間の距離が短くなり、磁力によるワイヤレスリモコン６の取付強度を高めることができる。
【００７２】
またワイヤレスリモコン６が装着されるピアノハンドル４の部位（取付部２６）を薄肉にすることで、樹脂成型時に発生する外力によってピアノハンドル４の端が多少反ることも考えられるが、本実施形態ではピアノハンドル４の裏面における枢支部と反対側の端部（右端部）に、上下方向における中央部から両側部に行くにつれて、カバー３の前面から遠ざかる向きに傾斜するテーパ面４ａ，４ａが形成されているので、ピアノハンドル４の両側部が多少反っていたとしても、ピアノハンドル４の両側付近でピアノハンドル４の裏側面とカバー３の前面との間の隙間（ストローク）を確実に確保でき、ピアノハンドル４の両側部を押してスイッチ操作を行うことができる。また更に、ピアノハンドル４の裏面における枢支部と反対側の部位の上下両側部をそれぞれ前方に押圧する押圧ばね片１８，１８がカバー３と一体に形成されており、ピアノハンドルにおける枢支部と反対側の部位の上下両側部をそれぞれ押圧ばね片１８，１８で前方に押圧しているので、上述と同様にピアノハンドル４の両側部が多少反っていたとしても、ピアノハンドル４の両側付近でピアノハンドル４の裏側面とカバー３の前面との間の隙間（ストローク）を確実に確保でき、ピアノハンドル４の両側部を押してスイッチ操作を行うことができる。
【００７３】
またワイヤレスリモコン６のハウジング４０は直方体状であって、短幅方向に対向する２つの側壁が、ピアノハンドル４の短幅方向に対向する２つの辺に略平行するようにしてピアノハンドル４の前面に取り付けられており、ハウジング４０の前面は短幅方向における中間部が両側部に比べて前方に突出するような曲面形状に形成されているので、操作性を良好にできる。またハウジング４０は短幅方向の中央部に比べて両側部の厚みが小さくなっているので、内部の回路に動作電源を供給する釦電池を保持した電池ホルダー４３が挿抜自在に挿入される挿入口が、ハウジング４０の短幅方向に対向する２つの側壁の何れかに開口していると、ハウジング４０の両側部の厚みが厚くなって壁面からの突出量が大きくなり、また長手方向に対向する２つの側壁の内、発光ダイオードＬＤ２が配設された側壁は発光ダイオードＬＤ２のために電池の収納スペースが確保できなくなるが、本実施形態ではハウジング４０の長手方向に対向する２つの側壁の内の一方（上側壁）に発光ダイオードＬＤ２を配置するとともに、他方（下側壁）に電池ホルダー４３の挿入口を設けてあり、厚みが最も厚くなるハウジング４０の短幅方向中央部に電池ホルダー４３を配置しているので、ハウジング４０（ワイヤレスリモコン６）の厚みをできるだけ薄くでき、壁面からのワイヤレスリモコン６の突出量を小さくして、他の配線器具とのデザインの統一性を確保することができる。
【００７４】
なお本実施形態では、ワイヤレスリモコン６のハウジング４０に取り付けた鉄片４４と、この鉄片４４に対応するピアノハンドル４の部位に取り付けられた永久磁石８とで、ワイヤレスリモコン６とピアノハンドル４とを磁力で結合する取付手段を構成しているが、ワイヤレスリモコン６のハウジング４０に永久磁石を取り付けるとともに、この永久磁石に対応するピアノハンドル４の部位に磁性体を取り付けて、ワイヤレスリモコン６とピアノハンドル４とを磁力で結合するようにしても良く、この場合はワイヤレスリモコン６のハウジング４０に永久磁石を取り付けているので、ワイヤレスリモコン６をスチール製の机や冷蔵庫など磁性体でできたものに取り付けて使用することができ、使い勝手が向上する。
【００７５】
而して本実施形態によれば、ワイヤレスリモコン６が操作ハンドルたるピアノハンドル４の前面に着脱自在に保持されるから、ワイヤレスリモコン６の保管用として壁掛け式のホルダなどを別途設ける必要がなく、ワイヤレスリモコン６とスイッチ本体１とのデザインを統一することができる。またピアノハンドル４の操作並びにワイヤレスリモコン６の操作の何れによっても負荷Ｌを入切できるために使い勝手がよくなり、しかも、商用電源ＡＣ及び負荷Ｌとスイッチ本体１とを２線で接続することができるから、既存のスイッチとの置き換えも容易に行えるという利点がある。
【００７６】
（実施形態５）
図２０〜図２４を参照して本実施形態を説明する。但し、本実施形態はスイッチ本体１の構造に特徴があり、その他の構成については実施形態４と共通である。よって、共通の構成要素には同一の符号を付して説明を省略する。
【００７７】
実施形態４においては、プリント配線板７に実装された操作スイッチＳＷ１の押釦５１がピアノハンドル４裏面の押圧突起３９によって直接操作される構造となっているが、このような構造であると、スイッチ本体１の器体におけるプリント配線板７の前後方向の位置をカバー３前面に近付ける必要がある。
【００７８】
そこで本実施形態では、スイッチ本体１の器体前面におけるピアノハンドル４の押圧突起３９と操作スイッチＳＷ１の押釦５１との間に介装され、ピアノハンドル４の操作力を操作スイッチＳＷ１に伝えるスペーサ部６６をカバー３と一体に設けている。このスペーサ部６６は、カバー３前面に略Ｕ字形の溝を設けることで幅細且つ前後方向に撓み自在に形成され、その先端（自由端）には前方へ起立して裏面で操作スイッチＳＷ１の押釦５１と当接する突起６６ａが突設されている。すなわち、ピアノハンドル４の操作側を押操作すると、ピアノハンドル４が軸部１６を中心に回転し、ピアノハンドル４裏面の押圧突起３９がスペーサ部６６先端の突起６６ａ表面に当接し、スペーサ部６６が撓むことによって操作スイッチＳＷ１の押釦５１が突起６６ａを介して押操作される。
【００７９】
而して本実施形態によれば、カバー３と一体に設けたスペーサ部６６を介してピアノハンドル４の操作力を操作スイッチＳＷ１の押釦５１に伝える構造としたため、スペーサ部６６によってスイッチ本体１の器体内における操作スイッチＳＷ１の配置の自由度が高くなるという利点がある。
【００８０】
ところで、受光モジュール７２ａにおいては輻射ノイズなどの外来ノイズの影響を低減するため、図２４に示すようにフォトダイオードなどの受光素子を金属製のシールド板７２ｂで覆うとともに、メッシュ状のシールド部材７２ｃをシールド板７２ｂと一体に形成し、このシールド部材７２ｃで受光素子の受光面（受光レンズ）を覆うようにしている。さらに、カバー３前面における丸孔２２の周囲に円筒形の突壁６７を立設し、この突壁６７で受光面の周囲を囲むようにしている（図２３参照）。このような構造を採用したことにより、施工時などに指先から放電される静電気に対する受光モジュール７２ａの耐量を確保しながら、受光モジュール７２ａの電磁シールド効果を高めることができるものである。
【００８１】
（実施形態６）
図２５及び図２６を参照して本実施形態を説明する。但し、本実施形態の基本構成は実施形態４とほぼ共通であるから、形状が多少異なっていても機能的に共通する構成要素については同一の符号を付して図示並びに説明は適宜省略する。
【００８２】
スイッチ本体１を構成するボディ２は縦横の寸法がほぼ等しい箱形に形成されており、その内部には接続端子Ｔａ，Ｔｂを構成する端子部７０Ａ，７０Ｂと、２枚のプリント配線板７とが収納される。２つの端子部７０Ａ，７０Ｂは従来周知の速結端子構造を有し、鎖錠ばねを一体に有する端子板７１と、端子板７１と電線の導体との鎖錠状態を解除する解除レバー７３とで構成される。これら２つの端子部７０Ａ，７０Ｂは平面視略コ字形の隔壁２ｃによって仕切られた２つの収納室２ｄ，２ｅにそれぞれ収納される。ボディ２の側壁には各収納室２ｄ，２ｅと各々通じる縦溝２ｆが設けられ、この縦溝２ｆを通して解除レバー７３の操作部７３ａがボディ２の外に露出させてある。解除レバー７３はボディ２内に回動自在に配設され、ボディ２の外に露出する操作部７３ａを縦溝２ｆに沿って回動することにより端子板７１と電線の導体との鎖錠状態を解除することができる。なお、各端子部７０Ａ，７０Ｂは導電板７４を介して各々プリント配線板７の導電パターンと電気的に接続される。また、２枚のプリント配線板７のうちで前方のプリント配線板７には操作スイッチＳＷ１と受光モジュール７２ａなどが実装され、後方のプリント配線板７には負荷開閉部１０５などが実装される。なお、図２６における７５は負荷開閉部１０５のトライアックＴＲＣに結合された放熱板である。
【００８３】
一方、カバー３はボディ２よりも縦横の寸法が大きい矩形平板状に形成され、裏面に突設された係止脚片１１の係止孔１２にボディ２の係止突起１０を係止させることにより結合されてスイッチ本体１の器体が組み立てられる。またカバー３中央の左右両端部には埋込ボックスに取り付けるためのボックスねじ用の長孔３ａがそれぞれ貫設されており、取付枠６０を使わずにスイッチ本体１の器体を埋込ボックスに直接取り付けるようになっている。カバー３の四隅近傍には化粧プレート９０を着脱自在に取り付けるための取付孔３ｂが設けられている。さらにカバー３上部の左右両側には、後述するようにピアノハンドル４を回動自在に枢支するため、側面に軸受孔を有する一対の軸受部３ｃ，３ｃが前方へ突設されている。
【００８４】
ピアノハンドル４は突台２５が上、取付部２６が下になるようにスイッチ本体１の前面に枢着される。突台２５の左右両側にはカバー３前面に突設された一対の軸受部３ｃ，３ｃを挿通する挿通孔２５ａ，２５ａがそれぞれ貫設され、各挿通孔２５ａの内側面には軸受部３ｃの軸受孔に軸支される軸部（図示せず）が形成されている。すなわち、一対の挿通孔２５ａ，２５ａに各々軸受部３ｃ，３ｃを挿通し、挿通孔２５ａの内側面に形成された軸受孔に軸部を嵌めて軸支させることにより、ピアノハンドル４がカバー３前面に回動自在に枢着されることになる。なお、ピアノハンドル４の下側両端には略Ｌ字形の支持片４ｂが設けられており、取付部２６に取り付けたワイヤレスリモコン６を一対の支持片４ｂで支持している。
【００８５】
ワイヤレスリモコン６は基本的に実施形態４と共通の構成を有するものであるが、メンブレンシート４２に設けられる操作凸部４２ａ及び導電部４２ｂと、プリント基板４１に設けられる一対の接点部５０ａ，５０ｂとからなる入切操作部６Ａの他に、図２５（ｂ）に示すようにタイマ機能（後述する）を利用する際に操作される５種類のタイマ用操作部６Ｂ〜６Ｆを具備する点が実施形態４のものと異なっている。なお、タイマ用操作部６Ｂ〜６Ｆの構造は入切操作部６Ａと共通であるから図示並びに説明は省略する。
【００８６】
而して、各操作部６Ａ〜６Ｆが押操作されて操作入力が与えられた制御回路部８０は、制御信号を送信回路部８１に出力して発光ダイオードＬＤ２を駆動し、各操作部６Ａ〜６Ｆに対応した指令をワイヤレス信号で送信するようになっている。例えば、入切操作部６Ａが操作されたときには負荷Ｌの入切を切り替える切替指令が送信され、タイマ用操作部６Ｂ〜６Ｅが操作されたときには各々１分後、１０分後、３０分後、６０分後に負荷Ｌを停止させるタイマ指令が送信され、タイマ用操作部６Ｆが操作されたときには負荷Ｌを連続で動作させるタイマ指令が送信される。
【００８７】
化粧プレート９０は合成樹脂により矩形枠状に形成され、裏面の四隅から突設されている取付爪（図示せず）をカバー３の取付孔３ｂに挿入係止することでカバー３前面を覆うように着脱自在に取り付けられる。化粧プレート９０をカバー３前面に取り付けた状態では、図２５（ａ）に示すようにピアノハンドル４が化粧プレート９０の内側に収められる。
【００８８】
一方、スイッチ本体１の制御部１０３では、ワイヤレスリモコン６から切替指令を受け取ると直ちに負荷Ｌの動作状態を入から切又は切から入へと切り替える点は実施形態４と共通であるが、ワイヤレスリモコン６からタイマ指令を受け取った場合、そのタイマ指令に含まれるタイマ時間（１分、１０分、３０分、６０分）の計時を開始するとともにタイマ時間の計時が終了した時点で負荷Ｌの動作状態を入から切に切り替えて負荷Ｌを停止させる。なお、タイマ用操作部６Ｅに対応するタイマ指令を受け取った場合、制御部１０３はタイマ時間の計時は行わずに直ちに負荷Ｌの動作状態を切から入に切り替える。
【００８９】
而して本実施形態によれば、例えば負荷Ｌが照明器具であれば、ワイヤレスリモコン６のタイマ用操作部６Ｂ〜６Ｅを操作してから所定時間（タイマ時間）後に消灯させることにより、就寝した頃に自動的に消灯して照明器具の消し忘れを防止することができる。但し、本実施形態ではスイッチ本体１の制御部１０３にタイマ機能を持たせているが、ワイヤレスリモコン６の制御回路部８０にタイマ機能を持たせ、タイマ用操作部６Ｂ〜６Ｅが操作されてからタイマ時間経過後にタイマ指令をワイヤレス信号で送信するようにしても構わない。また本実施形態におけるタイマ機能の構成は実施形態４にも適用可能であって、図２７に示すように実施形態４におけるワイヤレスリモコン６にタイマ用操作部６Ｂ〜６Ｆを設けてもよい。
【００９０】
（実施形態７）
図２８及び図２９を参照して本実施形態を説明する。本実施形態は、実施形態４〜６と同様にスイッチ本体１１０とスイッチ本体１１０の前面に着脱自在に取り付けられるワイヤレスリモコン１１１とで構成される。
【００９１】
スイッチ本体１１は合成樹脂製の器体を具備し、この器体の内部には実施形態４におけるスイッチ本体１と共通の回路がプリント配線板に実装されて収納される。器体前面の上部にはプリント配線板に実装された操作スイッチＳＷ１の押釦を押操作するための操作部１１４が設けられ、器体の下部にはプリント配線板に実装された受光モジュール７２ａを覆う透光カバー１１３が配設されている。なお、操作部１１４にはプリント配線に実装されている表示部１０９の発光ダイオードＬＤ１の光を前方へ照射する表示窓１１５が設けられている。また器体は実施形態４と同様に取付枠を用いて壁面に埋込配設されるものであって、取付枠の前面には合成樹脂により矩形枠状に形成されたプレート枠１１２ａ並びに化粧プレート１１２ｂからなる従来周知のプレート１１２が取り付けられる。
【００９２】
一方、ワイヤレスリモコン１１１は、扁平な直方体状に形成されたハウジングを具備し、このハウジングの内部には実施形態４におけるワイヤレスリモコン６と共通の回路がプリント基板に実装されて収納され、スイッチ本体１１０の前面に取り付けられた状態でプレート１１２の内側に収納される。またハウジングの下部にはスイッチ本体１１０の透光カバー１１３と対向する位置に透過レンズ１１６が設けられ、ハウジングの上部には操作部１１７が設けられるとともに、操作部１１７には表示窓１１５から照射される発光ダイオードＬＤ１の光を前方へ透過させる透光部１１８が設けられている。
【００９３】
而して、ワイヤレスリモコン１１１をスイッチ本体１１０から取り外した状態では、スイッチ本体１１０の操作部１１４を押操作して操作スイッチＳＷ１をオンすることで負荷Ｌを入切できるとともに、ワイヤレスリモコン１１１の操作部１１７を操作して切替指令をワイヤレス信号で送信することでも負荷Ｌを入切できる。従って、ワイヤレスリモコン１１１を保管するために壁掛け式のホルダーを別途設ける必要がなく、ワイヤレスリモコン１１１とスイッチ本体１１０等とのデザインを統一することができる。また、壁掛け式ホルダーをねじや接着などで壁に固定する手間もなくなる。さらに、専用プレートを使用しないため、他の埋込型の配線器具と連接して施工することが可能となり、ワイヤレスリモコンを変更することで機能追加を容易に実現できる。
【００９４】
またワイヤレスリモコン１１１にはスイッチ本体１１０の透光カバー１１３と対向する位置に透光部１１８が設けられているため、図２９に示すようにスイッチ本体１１０の前面にワイヤレスリモコン１１１が取り付けられた状態であっても、他のワイヤレスリモコンから送信されるワイヤレス信号を受信して負荷Ｌを制御することができる。但し、他のワイヤレスリモコンによる操作が不要であれば、透光部１１８を省略しても構わない。さらにワイヤレスリモコン１１１の操作部１１７には透光部１１８が設けられているから、スイッチ本体１１０の前面にワイヤレスリモコン１１１が取り付けられた状態であっても透光部１１８を通して表示部１０９の表示が視認できる。
【００９５】
ところで、ワイヤレス信号を送信する発光ダイオードＬＤ２はワイヤレスリモコン１１１のハウジングにおける上部壁に設けた孔１１９を通して外部に臨んでいるが、ワイヤレスリモコン１１１に透過レンズ１１６が設けられる構成の場合にはその透過レンズ１１６内に突出するように、またワイヤレスリモコン１１１に透過レンズ１１６が設けられない構成の場合にはスイッチ本体１１０の透光カバー１１３と対向する位置に、ワイヤレス信号送信用の発光ダイオードをもう１個設けるようにしてもよい。この構成の場合、スイッチ本体１１０前面にワイヤレスリモコン１１１が取り付けられている場合でも、ワイヤレスリモコン１１１の操作部１１７を操作することにより、スイッチ本体１１０の操作部１１４に対する押操作と同様に、負荷Ｌを入切することが可能となる。
【００９６】
（実施形態８）
図３０及び図３１を参照して本実施形態を説明する。但し、本実施形態の基本構成は実施形態７とほぼ共通であるから、共通の構成要素には同一の符号を付して説明を省略する。
【００９７】
ワイヤレスリモコン１１１は、スイッチ本体１１０の前面に配設されたプレート１１２内に可動式の操作ハンドルとして着脱自在に収納され、押操作に応じてスイッチ本体１１０の前面側に動いたとき、スイッチ本体１１０前面の操作部１１４を押下する突起部１２０が裏面に突設されている。ワイヤレスリモコン１１１のハウジングにおける左側部の下端にはプレート１１２の穴部１１２ｃに填り込んで軸支される固定軸部１２１が突設されている一方、ハウジングの左側部上端にはハウジングの前面側に設けられた取外用摘み１２２の操作で伸縮し、プレート１１２の上側の穴部（図示せず）に填り込んで軸支される可動軸部１２３が突設されている。
【００９８】
而して、プレート１１２の穴部１１２ｃにワイヤレスリモコン１１１の固定軸部１２１を填め込みながら、取外用摘み１２２を操作して可動軸部１２３を縮伸させてプレート１１２の上側の穴部に填め込む。これにより、スイッチ本体１１０の前面に配設されたプレート１１２内にワイヤレスリモコン１１１を可動式の操作ハンドルとして収納することができる。また、このときワイヤレスリモコン１１１に対する固定軸部１２１および可動軸部１２３の位置設定により、ワイヤレスリモコン１１１の回動可能角が所定角に制限されるようにしてある。
【００９９】
このように本実施形態によれば、ワイヤレスリモコン１１１が、スイッチ本体１１０の前面に配設されたプレート１１２内に可動式の操作ハンドルとして着脱自在に収納され、押操作に応じてスイッチ本体１１０の前面側に動いたとき、そのスイッチ本体１１０の操作部１１４を押下する突起部１２０をさらに有する構成になっているので、スイッチ本体１１０の前面に配設されたプレート１１２内にワイヤレスリモコン１１１を収納している場合、スイッチ本体１１０の操作部１１４に代えて、ワイヤレスリモコン１１１を操作のし易い大きな操作ハンドルとして使用することができる。また、ワイヤレスリモコン１１１が機械的に操作されるので、赤外線で信号を送信するための発光ダイオードＬＤ２をさらに１個設ける構成に比べて、ワイヤレスリモコン１１１の電池Ｂの消費電力を節約することができる。
【０１００】
（実施形態９）
図３２〜図３４を参照して本実施形態を説明する。実施形態８ではワイヤレスリモコン１１１をスイッチ本体１１０の操作スイッチＳＷ１を操作するための操作ハンドルとして用いているが、本実施形態では、実施形態４と同様にピアノタッチ式の操作ハンドル１２４をスイッチ本体１１０の前面に取り付け、その操作ハンドル１２４の前面にワイヤレスリモコン１１１を保持するようにしている。従って、本実施形態の基本構成は実施形態７などと共通であるから、共通の構成要素には同一の符号を付して説明を省略する。
【０１０１】
操作ハンドル１２４は図３２における左側端部でスイッチ本体１１０の前面に枢着され、押操作されたときにその左側端部を支点としてピアノタッチ式に回動することでスイッチ本体１１０の前面に露出する操作スイッチＳＷ１の押釦（図示せず）を押し込んで負荷Ｌの入切を切り替えるものである。なお、操作ハンドル１２４とスイッチ本体１１０の枢着構造については実施形態４とほぼ同様であるから詳しい図示並びに説明は省略する。
【０１０２】
操作ハンドル１２４の前面には矩形の凹所１２４ａが設けられ、この凹所１２４ａ内にワイヤレスリモコン１１１が収納される。凹所１２４ａ内に収納されたワイヤレスリモコン１１１は、図示しない永久磁石と鉄板とを用いて、実施形態４と同様に操作ハンドル１２４と磁力で結合される。ここで凹所１２４ａの底面にはワイヤレスリモコン１１１の透過レンズ１１６とスイッチ本体１１０の透光カバー１１３とに対向する位置に矩形の窓孔１２４ｂが貫設され、またワイヤレスリモコン１１１の透光部１１８とスイッチ本体１１０表示窓１１５とに対向する位置に矩形の透光窓孔１２４ｃが貫設されている。なお、操作ハンドル１２４の前面における凹所１２４ａの上下両端部にはワイヤレスリモコン１１１を取り外す際に指先などを引っ掛けるための凹部１２４ｄが設けられている。
【０１０３】
而して本実施形態によれば、ワイヤレスリモコン１１１が操作ハンドル１２４の前面に取り付けられているか否かに関わらず操作ハンドル１２４を押操作して負荷Ｌを入切でき、また取り外したワイヤレスリモコン１１１を使っても負荷Ｌを入切できる。
【図面の簡単な説明】
【０１０４】
【図１】実施形態１の回路図である。
【図２】実施形態２の回路図である。
【図３】同上の説明図である。
【図４】実施形態３の回路図である。
【図５】同上の説明図である。
【図６】実施形態４の分解斜視図である。
【図７】同上を取付枠に取り付けた状態の斜視図である。
【図８】同上におけるスイッチ本体が取付枠に取り付けられ且つピアノハンドルが取り外された状態と、スイッチ本体から取り外された状態のワイヤレスリモコンの斜視図である。
【図９】同上を取付枠に取り付けた状態の側面図である。
【図１０】同上のボディを除いた断面図である。
【図１１】同上のボディ及びワイヤレスリモコンを除いた下面図である。
【図１２】同上におけるピアノハンドルの裏面図である。
【図１３】同上におけるワイヤレスリモコンの分解斜視図である。
【図１４】同上におけるワイヤレスリモコンの分解斜視図である。
【図１５】同上におけるワイヤレスリモコンのプリント基板を示し、（ａ）は正面図、（ｂ）は背面図である。
【図１６】同上におけるワイヤレスリモコンのメンブレンシートを示し、（ａ）は正面図、（ｂ）は背面図である。
【図１７】同上におけるスイッチ本体の回路図である。
【図１８】同上におけるワイヤレスリモコンの回路図である。
【図１９】同上の動作説明図である。
【図２０】実施形態５におけるピアノハンドルを取り外した状態のスイッチ本体を示し、（ａ）は正面図、（ｂ）は断面図である。
【図２１】同上におけるスイッチ本体のカバーを示し、（ａ）は正面図、（ｂ）は左側面図、（ｃ）は下面図である。
【図２２】同上におけるスイッチ本体のカバーの断面図である。
【図２３】同上におけるスイッチ本体のカバーの斜視図である。
【図２４】同上における受光モジュールを示し、（ａ）は正面図、（ｂ）は下面図である。
【図２５】（ａ）は実施形態６の斜視図、（ｂ）は実施形態６におけるワイヤレスリモコンの裏面図である。
【図２６】同上の分解斜視図である。
【図２７】同上の別の構成におけるワイヤレスリモコンの裏面図である。
【図２８】実施形態７を示し、ワイヤレスリモコンを取り外した状態の斜視図である。
【図２９】同上を示し、ワイヤレスリモコンを取り付けた状態の斜視図である。
【図３０】実施形態８を示し、ワイヤレスリモコンを取り外した状態の斜視図である。
【図３１】同上を示し、ワイヤレスリモコンを取り付けた状態の斜視図である。
【図３２】実施形態９の分解斜視図である。
【図３３】同上を示し、ワイヤレスリモコンを取り外した状態の斜視図である。
【図３４】同上を示し、ワイヤレスリモコンを取り付けた状態の斜視図である。
【図３５】従来例の回路図である。
【図３６】同上の動作説明図である。
【符号の説明】
【０１０５】
ＡＣ  商用電源
Ｌ  負荷
１０１  第２の電源部
１０２  ３端子レギュレータＩＣ
１０３  制御部
１０４  第３の電源部
１０５  負荷開閉部
１０６  駆動部
１０７  第１の電源部
【図１】
2006033497.tif 000003
【図２】
2006033497.tif 000004
【図３】
2006033497.tif 000005
【図４】
2006033497.tif 000006
【図５】
2006033497.tif 000007
【図６】
2006033497.tif 000008
【図７】
2006033497.tif 000009
【図８】
2006033497.tif 000010
【図９】
2006033497.tif 000011
【図１０】
2006033497.tif 000012
【図１１】
2006033497.tif 000013
【図１２】
2006033497.tif 000014
【図１３】
2006033497.tif 000015
【図１４】
2006033497.tif 000016
【図１５】
2006033497.tif 000017
【図１６】
2006033497.tif 000018
【図１７】
2006033497.tif 000019
【図１８】
2006033497.tif 000020
【図１９】
2006033497.tif 000021
【図２０】
2006033497.tif 000022
【図２１】
2006033497.tif 000023
【図２２】
2006033497.tif 000024
【図２３】
2006033497.tif 000025
【図２４】
2006033497.tif 000026
【図２５】
2006033497.tif 000027
【図２６】
2006033497.tif 000028
【図２７】
2006033497.tif 000029
【図２８】
2006033497.tif 000030
【図２９】
2006033497.tif 000031
【図３０】
2006033497.tif 000032
【図３１】
2006033497.tif 000033
【図３２】
2006033497.tif 000034
【図３３】
2006033497.tif 000035
【図３４】
2006033497.tif 000036
【図３５】
2006033497.tif 000037
【図３６】
2006033497.tif 000038